(57)【特許請求の範囲】
【請求項１】
端末機に送信したい番組を特定するための第１情報と、送信先の端末機を特定する第２情報とを、ユーザに設定させるための設定手段、および
ユーザによって設定された第１情報によって特定される番組の放送が開始されたときに、その番組を受信し、ユーザによって設定された第２情報によって特定される送信先の端末機に、第１情報によって特定される番組を受信することによって得られる音声情報および／または映像情報を、通信回線を介して送信する送信手段、
を備えているデジタルテレビ放送受信機。
【請求項２】
端末機に送信したい番組を特定するための第１情報と、送信先の端末機を特定する第２情報とを、ユーザに設定させるための設定手段、および
ユーザによって設定された第１情報によって特定される番組の放送が開始されたときに、その番組を受信し、ユーザによって設定された第２情報によって特定される送信先の端末機に、第１情報によって特定される番組を受信することによって得られる音声情報および／または映像情報を通信回線を介して送信し、該番組の放送が終了したときには、該番組の受信を中止し、通信回線をオフさせる送信手段、
を備えているデジタルテレビ放送受信機。
【発明の詳細な説明】
【０００１】
【発明の属する技術分野】
この発明は、デジタルテレビ放送受信機に関する。
【０００２】
【従来の技術】
デジタルテレビ放送受信機においては、課金情報を収集するために視聴履歴情報をモデムを介して管理会社に送信する機能を備えている。しかしながら、音声情報、映像情報、番組案内情報等のようにデジタルテレビ放送受信機によって受信された様々な情報を、モデムを介して所定の端末（電話機、ＰＣ）に送信することはできなかった。
【０００３】
【発明が解決しようとする課題】
この発明は、音声情報、映像情報、番組案内情報等のようにデジタルテレビ放送受信機によって受信される様々な情報を、所定の端末（電話機、ＰＣ等）に送信することができるようになるデジタルテレビ放送受信機を提供することを目的とする。
【０００４】
【課題を解決するための手段】
この発明による第１のデジタル放送受信機は、端末機に送信したい番組を特定するための第１情報と、送信先の端末機を特定する第２情報とを、ユーザに設定させるための設定手段、およびユーザによって設定された第１情報によって特定される番組の放送が開始されたときに、その番組を受信し、ユーザによって設定された第２情報によって特定される送信先の端末機に、第１情報によって特定される番組を受信することによって得られる音声情報および／または映像情報を、通信回線を介して送信する送信手段を備えていることを特徴とする。
【０００５】
この発明による第２のデジタル放送受信機は、端末機に送信したい番組を特定するための第１情報と、送信先の端末機を特定する第２情報とを、ユーザに設定させるための設定手段、およびユーザによって設定された第１情報によって特定される番組の放送が開始されたときに、その番組を受信し、ユーザによって設定された第２情報によって特定される送信先の端末機に、第１情報によって特定される番組を受信することによって得られる音声情報および／または映像情報を通信回線を介して送信し、該番組の放送が終了したときには、該番組の受信を中止し、通信回線をオフさせる送信手段を備えていることを特徴とする。
【０００６】
【発明の実施の形態】
以下、図面を参照して、この発明の実施の形態について説明する。
【０００７】
〔１〕デジタルテレビ放送受信機の構成の説明
【０００８】
図１は、デジタルテレビ放送受信機の構成を示している。
【０００９】
放送波は、アンテナ１を介してチューナ２に送られ、高周波処理および復調が行われる。チューナ２からの出力はＤＥＭＵＸ回路３に送られ、パケットの復号が行われる。
【００１０】
ＤＥＭＵＸ回路３において、パケットは、ＭＰＥＧデータと、番組案内情報等の付属情報とに分別される。ＤＥＭＵＸ回路３によって分離されたＭＰＥＧデータは、ＡＶデコーダ４に送られる。ＤＥＭＵＸ回路３によって分離された付属情報は、システムコントローラ２０に送られる。
【００１１】
システムコントローラ２０は、ＤＥＭＵＸ回路３から送られきた付属情報等を不揮発性メモリ２１に格納する。システムコントローラ２０には、リモコン送信機２２からのリモコン信号がリモコン受光器２３を介して入力される。
【００１２】
システムコントローラ２０は、チューナ２およびＤＥＭＵＸ回路３に選局のための情報等を送る。また、システムコントローラ２０は、番組案内画面、各種設定画面などをＣＲＴ８にオンスクリーン表示させるためのＯＳＤ制御信号を、ＯＳＤ表示回路２４に送る。ＯＳＤ表示回路２４は、各種設定画面の表示データを生成して、マルチプレクサ（合成回路）６に送る。
【００１３】
ＡＶデコーダ４は、ＤＥＭＵＸ回路３から送られきたＭＰＥＧデータを復調する。ＡＶデコーダ４によって得られた映像信号は、映像処理回路５を介してマルチプレクサ６に送られる。マルチプレクサ６は、映像処理回路５から出力された映像データにＯＳＤ表示回路２４から送られてきた表示データをスーパーインポーズ処理して、映像出力回路７に送る。映像出力回路７から出力された映像信号は、ＣＲＴ８に送られる。
【００１４】
ＡＶデコーダ４によって得られた音声信号は、音声処理回路９および音声出力回路１０を介してスピーカ１１に送られる。
【００１５】
このデジタルテレビ放送受信機では、モデム３０および電話回線３１を介して、希望する放送番組の音声情報を希望する電話機、ＰＣ等の端末機に送る機能を備えている。この機能を使用する場合の動作について説明する。
【００１６】
ユーザはリモコン送信機２２によって、送信先および番組の設定指令を入力する。システムコントローラ２０は、この指令をリモコン受光器２３を介して受信すると、音声情報の送信先および送信したい音声情報が提供される番組に関する番組情報（チャンネル番号、放送開始時刻、放送終了時刻）を設定するための設定画面を、ＯＳＤ表示回路２４、マルチプレクサ６および映像出力回路７を介してＣＲＴ８に表示させる。この設定画面上において、ユーザはリモコン送信機２２を操作することによって送信先の電話番号および番組情報を設定する。
【００１７】
送信先および番組情報が設定されている状態において、設定されている番組の放送が開始されると、その放送を受信するとともに、送信先として設定されている電話番号にダイヤリングを行う。そして、当該送信先と回線が接続されると、音声処理回路９によって得られた音声情報をモデム３０および電話回線３１を介して上記送信先に送信する。なお、設定されている番組の放送が終了したときには、当該番組の受信が中止せしめられるとともに、電話回線がオフにせしめられる。
【００１８】
この実施の形態によれば、ユーザは、デジタルテレビ放送受信機がない遠隔地に出向いている場合でも、所望の番組の音声情報を電話回線を介して取得することができるようになる。
【００１９】
なお、上記実施の形態では、所定の番組の音声情報をモデムおよび電話回線を介して所定の端末に送信しているが、送信する情報としてはデジタルテレビ放送受信機によって受信できる情報であって電話回線を介して送信できるものであれば音声情報以外の情報でもよい。たとえば、送信する情報としては、所定の番組の映像情報、ＤＥＭＵＸ回路３を介して取得された番組案内情報がある。
【００２０】
【発明の効果】
この発明によれば、音声情報、映像情報、番組案内情報等のようにデジタルテレビ放送受信機によって受信される様々な情報を、所定の端末に送信することができるようになる。
【図面の簡単な説明】
【図１】デジタルテレビ放送受信機の構成を示すブロック図である。
【符号の説明】
１  アンテナ
２  チューナ
３  ＤＥＭＵＸ回路
４  ＡＶデコーダ
９  音声処理回路
１０  音声出力回路
２０  システムコントローラ
２１  不揮発性メモリ
３０  モデム
３１  電話回線
【図１】
0003728133.tif 000002